(57)【要約】【課題】発電における化石燃料や原子力の使用による環境汚染・環境破壊の危険性、及び高コストの問題を解決する。【解決手段】電力循環型の発電装置を提供する。本発電装置は、少なくとも１の電動モーターと、モーターの数量を大きく上回る数量の発電機によって構成され、該発電機は、前記モーターの回転運動によって同時に作動し、結果としてモーターが消費する電力以上の電力を生成する。このようにして、モーターと発電機の間に電力循環が生じ、モーターは装置のスタート時に一定の電力を必要とする以外は、外部からの電力供給を受けずに永続的に稼働する。さらに、余剰電力は蓄電池に蓄電されたうえ、消費電力として家庭・事業所・車のバッテリー・他に供給される。【選択図】図２
2014217268.tif 000002
【特許請求の範囲】
【請求項１】
燃料を使用せずに持続的な発電を可能とする発電装置であって、
少なくとも１の電動モーターと、
前記電動モーターによって回転する少なくとも１の回転軸と、
前記回転軸を共有し前記回転軸の回転運動によって電力を生成する複数の発電機と、
を具備することを特徴とする電力循環型の発電装置。
【請求項２】
蓄電器を備え、生成する電力を前記蓄電器に蓄電し、前記蓄電器より前記モーターに電力を供給し、さらに前記蓄電器より一般使用向けに電力を供給することを特徴とする請求項１記載の発電装置。
【発明の詳細な説明】
【技術分野】
【０００１】
本発明は、燃料を必要とせずに持続的な発電を可能とする発電装置に関する。
【背景技術】
【０００２】
現在、地域に電力を供給する方法として、火力発電、原子力発電、水力発電、太陽光発電、風力発電、地熱発電等の発電方式が実施されている。また、非常用、家庭用として、ガソリンなどで動く発電機が設置されている。
【先行技術文献】
【特許文献】
【０００３】
【特許文献１】特開２０１２−２２８１５８号公報
【発明の概要】
【発明が解決しようとする課題】
【０００４】
火力発電は化石燃料を使用するため環境に有害であり、原子力発電は災害時の危険性から周囲の住民の不安を醸成し、水力発電、太陽光発電、風力発電は製造コストや発電コストが高くつく等の問題がある。また、非常用や家庭用の発電機は、ガソリンやガスを使用するため、燃料の入手やコスト面での課題がある。
【０００５】
上記の課題を解決するために、特許文献１の「永久機関で発電する装置」の発明がある。同発明に係る装置は、変圧器で電圧をあげ、増幅器で電流を増幅することにより生成電力を増加させ、モーターを回すために使用される電力以上の余剰電力を得ることを要旨とするが、この方法では余剰電力を発生させることはできない。なぜなら、電圧と電流は反比例の関係にあり、電流を小さくさせることなく電圧を高くすること、または電圧を下げることなく電流を増加させることは不可能であるのは自明であり、モーターを回し続けるためには、外部からの電力供給が必要となるからである。
【０００６】
本発明は、特許文献１の発明とは異なる方法で、上記課題を解決し、設置時の費用と稼働時の電力のみで永続的な発電を可能とする発電機の提供を要旨とする。
【課題を解決するための手段】
【０００７】
本発電装置は、少なくとも１の電動モーターと、モーターの数量を大きく上回る数量の発電機によって構成され、前記モーターの数量を大きく上回る数量の発電機は、前記モーターの回転運動によって同時に作動し、結果としてモーターが消費する電力以上の電力を創出する。
【０００８】
このようにして、モーターと発電機の間に電力循環が生じ、モーターは装置のスタート時に一定の電力を必要とするほかは、外部からの電力供給を受けずに永続的に稼働する。
【０００９】
さらに、生成される電力量は装置の稼働時間に比例して増加するため、余剰電力は蓄電池に蓄電されたうえ、家庭・事業所・車のバッテリー・他に消費電力として供給される。
【発明の効果】
【００１０】
装置作動後は、モーターは自らの回転によって稼働する多くの発電機が生成する電力の供給を受けて動作するため、スタート時の電力以外は外部からの電力の供給を受けることなく、化石燃料等を使用することなしに永続的な発電が可能となる。
【００１１】
家庭や事業所は、環境を悪化させることなく安全に、装置設置のためのコストと維持費以外は、ほぼノーコストで継続的に電力を得ることができるようになる。
【図面の簡単な説明】
【００１２】
【図１】本発電装置の床上部分の斜視図である。
【図２】本発電装置の機能を示す概念図である。
【発明を実施するための形態】
【００１３】
以下、本発明の実施形態を図面を参照して説明する。
【００１４】
［第１の実施形態］
請求項１に記載の発電装置１は、プーリー４１を有する電動モーター４と、床３から上垂直方向に延びる支柱管８によって支えられた複数の発電機７を具備する。複数の発電機７は、対面する側壁２の間に水平に架けられた複数の回転軸６に内部を貫通された状態で、１本の回転軸につき４〜５台ずつ、一定の間隔を保って設置されている。プーリー４１と複数の回転軸６はベルト５によって結ばれており、プーリー４１の回転運動はベルト５によって複数の回転軸６へと伝達される。また、発電機７を支える支柱管８の内部には、電線９が設置されており、発電機７から出る電線９は床上、または床下に設置された電線９につながり、その一方はモーターへ、また、他方は各施設へと電力を供給する。
【００１５】
本発電装置１の発電の仕組みは以下のとおりである。
まず、外部電力の供給を受けて電動モーター４が発動し、プーリー４１を回転させる。プーリー４１の回転運動はベルト５を介して、対面する側壁２の間に水平に架けられた複数の回転軸６に伝達され、各回転軸６は、複数の発電機７を貫通した状態で回転する。各発電機７の内部の回転子７１は回転軸６に固定されており、回転軸６の回転とともに回転子７１も回転し、発電機７の内壁に設置された固定子コイル７２に電圧・電流を生じさせる。
【００１６】
上記のプロセスによって生成された電力は、発電機７の固定子コイル７２から、発電機７を支える支柱管８内部の電線９を通り、床下の電線９に運ばれ、そこでモーター４を稼働させ続けるための電流と、外部の施設に供給される電流とに分けられる。
【００１７】
回転軸６の数と１本の回転軸に設置する発電機７の数は、モーター４の出力と発電機７の最大発電量を考慮して適数を算出する。また、上述の実施例は１台のモーターによるものであるが、装置１の規模によっては、複数のモーターを設置することも可能である。
【００１８】
［第２の実施形態］
請求項２に記載の発電装置１は、請求項１記載の発電装置が有する部品に加えて、電力需要や時間帯によって電力の供給を調整するための蓄電池１０を具備する（図２）（図１においては省略）。
【００１９】
本実施例においては、発電機７によって生成された電力は、一時的に床３下の蓄電機１０に蓄電され、モーター４に供給される電力以外の電力は、需要や時間帯によって必要な量が蓄電器１０から外部の家庭・事業所・車のバッテリー・他に供給される（図２）。
【００２０】
上述第１及び第２の実施例に記載の発電装置１は、稼働時に外部からの電力供給を必要とするが、その後は上述の電力循環の仕組により、外部からの電力供給なしに永続的に動作する。また、周辺の家庭・事業所等は、装置の維持費用のためのコスト負担のみで、クリーンな電力エネルギーの供給を享受することができる。
【符号の説明】
【００２１】
発電装置      １
側壁          ２
床            ３
モーター      ４
プーリー      ４１
ベルト        ５
回転軸        ６
発電機        ７
回転子        ７１
固定子コイル  ７２
支柱管        ８
電線          ９
蓄電器        １０
【図１】
2014217268.tif 000003
【図２】
2014217268.tif 000004